(57)【要約】  【課題】        除塵手段によって除去された塵埃がフィルタに再付着することを防止できる電気掃除機を提供すること。  【解決手段】    塵埃を吸い込む塵埃吸込口から掃除機本体１１内の電動送風機２４の吸込開口２４Ａまでの吸込風路の途中に設けられたプリーツフィルタ（フィルタ）９４と、このプリーツフィルタ９４に付着した塵埃を除去する駆動ギア２７、ギア９６Ａ、除塵突起８３（除塵手段）と、この駆動ギア２７等を駆動させる駆動モータ（駆動源）Ｍとを備えた電気掃除機１０であって、電動送風機２４による吸込負圧の影響が作用しなくなったことを検知する電圧計（負圧検知手段）Ｖを備え、駆動モータＭは、電圧計Ｖが吸込負圧の影響が作用しなくなったことを検知した後に、駆動ギア２７等を駆動させる。【選択図】  図１５
2007054345.tif 000002
【特許請求の範囲】
【請求項１】
塵埃を吸い込む塵埃吸込口から掃除機本体内の電動送風機の吸込開口までの吸込風路の途中に設けられたフィルタと、該フィルタに付着した塵埃を除去する除塵手段と、該除塵手段を駆動させる駆動源とを備えた電気掃除機であって、
前記電動送風機による吸込負圧の影響が作用しなくなったことを検知する負圧検知手段を備え、前記駆動源は、前記負圧検知手段が吸込負圧の影響が作用しなくなったことを検知した後に、前記除塵手段を駆動させることを特徴とする電気掃除機。
【請求項２】
請求項１に記載の電気掃除機において、前記電動送風機は、前記除塵手段の駆動が停止した後に駆動することを特徴とする電気掃除機。
【発明の詳細な説明】
【技術分野】
【０００１】
本発明は、塵埃吸込口から電動送風機の吸込開口までの吸込風路に配置されたフィルタと、このフィルタに付着した塵埃を除去する除塵手段とを備えた電気掃除機に関するものである。
【背景技術】
【０００２】
従来から、電気掃除機の掃除機本体内に設けられた電動送風機の吸込側に、フィルタが着脱自在に取り付けられると共に、このフィルタに付着した塵埃を除去する除塵手段が設けられた電気掃除機が知られている（特許文献１参照）。
【０００３】
この除塵手段は、電動送風機が停止している状態で作業者が所定のボタンを押すことにより、駆動するようになっている。
【特許文献１】特開２００５−６５７７０
【発明の開示】
【発明が解決しようとする課題】
【０００４】
ところで、掃除機本体内に作用する電動送風機による吸込負圧は、電動送風機が停止した後に緩やかに減少するようになっている。
【０００５】
一方、上述の電気掃除機では、掃除機本体内に作用している吸込負圧の大きさとは無関係に、所定のボタンが押されたら除塵手段が駆動していた。つまり、掃除機本体内に電動送風機による吸込負圧が作用しているときであっても、所定のボタンを押すと除塵手段が駆動する。
【０００６】
そのため、除塵手段によってフィルタから除去された塵埃が、吸込負圧によって再びフィルタに付着してしまうという問題が生じていた。
【０００７】
そこで、この発明は、除塵手段によって除去された塵埃がフィルタに再付着することを防止できる電気掃除機を提供することを課題としている。
【課題を解決するための手段】
【０００８】
上記課題を解決するために、この発明は、塵埃を吸い込む塵埃吸込口から掃除機本体内の電動送風機の吸込開口までの吸込風路の途中に設けられたフィルタと、該フィルタに付着した塵埃を除去する除塵手段と、該除塵手段を駆動させる駆動源とを備えた電気掃除機であって、前記電動送風機による吸込負圧の影響が作用しなくなったことを検知する負圧検知手段を備え、前記駆動源は、前記負圧検知手段が吸込負圧の影響が作用しなくなったことを検知した後に、前記除塵手段を駆動させることを特徴としている。
【発明の効果】
【０００９】
本発明の電気掃除機によれば、負圧検知手段よって掃除機本体内に吸込負圧が作用しているか否かを判断することができ、この吸込負圧の影響がなくなってから除塵手段によって塵埃を除去することができる。
【００１０】
これにより、除塵手段によってフィルタから除去された塵埃が、掃除機本体内に作用する吸込負圧の影響によって再び付着することがなくなり、フィルタに付着した塵埃を確実に除去することが可能となる。
【発明を実施するための最良の形態】
【００１１】
以下、この発明に係る電気掃除機の実施例を図面に基づいて説明する。
［構  成］
図１に示す電気掃除機１０は、掃除機本体１１と、この掃除機本体１１の接続口１１Ａに一端が着脱自在に接続された集塵ホース１２と、この集塵ホース１２の他端に設けられた手元操作管１３と、手元操作管１３に着脱自在に接続された延長管１４と、延長管１４の先端部に着脱自在に接続された吸込口体１５とを備えている。
【００１２】
手元操作管１３には、操作部１３Ａが設けられており、この操作部１３Ａには後述する電動送風機２４をＯＮ／ＯＦＦ操作する操作スイッチ１３ａ等が設けられている。
【００１３】
吸込口体１５には、底面に塵埃を吸引する図示しない吸込開口（塵埃吸込口）を有する吸込室（図示せず）が形成されており、この吸込室は延長管１４、集塵ホース１２、接続口１１Ａを順に介して掃除機本体１１内に設けた集塵ユニット５０（図２参照）の吸込接続口５５Ａに連通している。
【００１４】
掃除機本体１１は、本体ケース２０と、本体ケース２０内に着脱自在に装着される集塵ユニット５０（図２参照）と、蓋体２１とを備えている。
【００１５】
本体ケース２０の前側には、図２ないし図５に示すように、集塵ユニット５０が着脱自在に装着される集塵ユニット室（装着部）２２が形成され、この集塵ユニット室２２の上部開口２３（図３参照）が図２に示すように蓋体２１によって密閉されている。
【００１６】
また、本体ケース２０の後側には、電動送風機２４が設けられており、この電動送風機２４には、図１５に示すように、電源プラグＰを介して商用電源Ｄから電力が供給されるようになっている。
【００１７】
そして、電動送風機２４と電源プラグＰとの間には、負圧検知手段である電圧計Ｖが介在されている。この電圧計Ｖは、電動送風機２４に流れる逆起電力を検出するものである。
【００１８】
電動送風機２４の前側（図２において左側）には、前面開口２５Ｂを有する円筒状の接続風路部２５が形成されている。
【００１９】
この接続風路部２５は、内側に格子部材２５Ｋが設けられ、前面開口２５Ｂの周縁部にシール部材２６が装着されている。また、接続風路部２５の後壁２５Ａには、接続開口２５Ｃが形成されており、この接続開口２５Ｃと電動送風機２４の吸込開口２４Ａとがほぼ対向して連通している。
【００２０】
集塵ユニット室２２には、図３ないし図５に示すように、駆動ギア（第一除塵手段）２７と、この駆動ギア２７を回転させる駆動モータ（駆動源）Ｍとが設けられている。この駆動モータＭには、図１５に示すように、電源プラグＰを介して商用電源Ｄから電力が供給されるようになっている。
【００２１】
集塵ユニット５０は、吸込口体１５の吸込開口（図示せず）に連通した掃除機本体１１の接続口１１Ａから電動送風機２４の吸込開口２４Ａまでの吸込風路の途中に着脱自在に装着されており、掃除機本体１１内から取り出せるようになっている。
【００２２】
また、集塵ユニット５０は、図６ないし図８に示すように、塵埃分離部５１と、この塵埃分離部５１に着脱自在に装着された集塵部７０と、塵埃分離部５１と一体となっているフィルタ部８０とから構成されている。
【００２３】
塵埃分離部５１は、円弧状の周壁部５２Ａを有する円筒状の分離室部５２と、この分離室部５２内に分離室部５２の軸線に沿って設けられたほぼ円錐形状の塵埃分離手段５３と、分離室部５２の右側壁部５２Ｂ（図７において）に設けられた吸引風路部５４と、吸込接続口５５Ａ（図６参照）から分離室部５２へ空気を案内する案内風路管５５とを有している。
【００２４】
そして、吸込接続口５５Ａは、集塵ユニット５０が掃除機本体１１の集塵ユニット室２２に装着された際に、掃除機本体１１の接続口１１Ａにほぼ対向して連通されるようになっている。
【００２５】
分離室部５２の周壁部５２Ａの上部には、図７及び図８に示すように、空気から分離された塵埃を排出する排出開口５６が形成され、この排出開口５６の周縁部にはシール部材５６Ｓ（図６参照）が装着されている。
【００２６】
また、分離室部５２の右側壁部５２Ｂ（図７において）には、案内風路管５５が接続された接続開口５７Ａ（図８参照）と、吸引風路部５４が接続された吸引開口５７Ｂ（図７参照）とが形成されている。
【００２７】
また、分離室部５２の左側壁部５２Ｃ（図７において）には開口５７Ｃが形成され、この開口５７Ｃは着脱自在に装着された蓋５８により閉塞されている。この蓋５８には塵埃分離手段５３が一体に設けられており、この蓋５８を取り外すことにより、塵埃分離手段５３が分離室部５２内から取り出せるようになっている。
【００２８】
塵埃分離手段５３は、径の異なる環状の複数のリング枠５３Ａ〜５３Ｄと、このリング枠５３Ａ〜５３Ｄを連結する複数の連結枠５３Ｅと、これら枠５３Ａ〜５３Ｅの周囲に貼り付けたネットフィルタＮＦ１とから構成されている。
【００２９】
そして、蓋５８が分離室部５２の開口５７Ｃに取り付けられているときには、塵埃分離手段５３のリング枠５３Ａが分離室部５２の吸引開口５７Ｂに接合され、吸引風路部５４が吸引開口５７Ｂ及びネットフィルタＮＦ１を介して分離室部５２に連通している。
【００３０】
吸引風路部５４は、後述するフィルタ部８０の収納ケース８１内に連通していると共に、後述する集塵ケース７０Ｋ内に連通している。また、吸引風路部５４には接続開口５４Ａ（図７参照）が形成されている。
【００３１】
案内風路管５５は、ほぼ円弧状に形成されており、分離室部５２の接続開口５７Ａから分離室部５２内へ導入される空気を図８の矢印に示すように反時計回りに回転させるようになっている。
【００３２】
集塵部７０は、図９に示すようにほぼ逆Ｌ字形に形成された集塵ケース７０Ｋから構成されている。
【００３３】
この集塵ケース７０Ｋは、上部に左右方向に延びた連通路７１（図７参照）を形成した連通ケース部７２と、この連通ケース部７２の右端部から下方に延びると共に、塵埃を集塵する集塵室７３（図７参照）を形成した集塵ケース部７４とを有している。
【００３４】
連通ケース部７２の下面には開口７２Ａが形成され、この開口７２Ａは図７に示すように、分離室部５２の排出開口５６に接続されており、分離室部５２と連通路７１とが連通している。
【００３５】
また、集塵ケース部７４の左側壁部７４Ａ（図９において）には接続開口７５が形成され、この接続開口７５の周縁部にはシール部材７５Ｓが装着されている。なお、この接続開口７５は集塵室７３に対向する位置に形成されている。
【００３６】
この接続開口７５は図７に示すように、吸引風路部５４の接続開口５４Ａに接続されており、吸引風路部５４と集塵室７３とが連通している。
【００３７】
集塵ケース部７４内には、図７に示すように接続開口７５に対向した位置にフィルタＦ１が設けられている。
【００３８】
また、集塵ケース部７４の右側面（図９において）には開口７６が形成され（図７参照）、この開口７６には蓋板７７が開閉自在に設けられている。
【００３９】
この蓋板７７の下部には、図９に示すように左方向へ延びた一対のアーム部７７Ａが形成され、各アーム部７７Ａの先端にはそれぞれ軸部７７Ｊが設けられている。この軸部７７Ｊは、集塵ケース部７４の底部に設けた軸受部７８に回動自在に保持されている。この軸部７７Ｊを中心にして蓋板７７が回動することにより、集塵ケース部７４の開口７６が開閉されるようになっている。なお、７９は連通ケース部７２の上面に形成された取手である。
【００４０】
フィルタ部８０は、図８に示すように、後面（図８において左側面）が開口された円筒状の収納ケース８１と、この収納ケース８１内に回転自在に取り付けられたプリーツフィルタ体（フィルタ）９０とを有している。
【００４１】
収納ケース８１は、塵埃分離部５１から連続して一体に形成されている。また、収納ケース８１の前壁部８２には、図１１に示すように、接続開口８２Ａが形成され、この接続開口８２Ａが吸引風路部５４に接続されている。これにより、収納ケース８１内と吸引風路部５４とが連通している。
【００４２】
さらに、前壁部８２には、図１１に示すように、後方（電動送風機２４側）に延びると共に、接続開口８２Ａを挟む位置に一対の除塵突起（第三除塵手段）８３が設けられている。この一対の除塵突起８３は、後述するプリーツフィルタ９４の山部９４Ａに当接するものであり、プリーツフィルタ体９０の軸部９１Ａの位置よりも下側に位置している。
【００４３】
収納ケース８１は、図６及び図８に示すように、プリーツフィルタ体９０を回転自在に保持する筒状の保持部８５と、除塵突起８３によってプリーツフィルタ９４から振り落とされた塵埃を受ける円環状の塵埃受部８６等とを有している。
【００４４】
この塵埃受部８６は、図１４に示すように、塵埃を排出する排出口８６Ａが前壁部８２に亘って形成されている。この排出口８６Ａは、連通路５９を介して塵埃分離部５１の分離室部５２内と連通しており、塵埃受部８６に落とされた塵埃は、排出口８６Ａから分離室部５２へ排出されていくようになっている。
【００４５】
プリーツフィルタ体９０は、図１０に示すように、筒状の枠体９１と、この枠体９１内の中心位置に設けられた軸部９１Ａ（図１３参照）と、この軸部９１Ａから放射状にプリーツを形成するための複数のプリーツ骨９２、９３と、このプリーツ骨９２、９３に貼られて形成されたプリーツフィルタ９４と有している。９４Ａは、プリーツフィルタ９４の山部である。
【００４６】
枠体９１は、収納ケース８１の保持部８５内に回転自在に保持される筒状の摺動部９５と、この摺動部９５よりも電動送風機２４側（図１２において左側）に形成された筒状のギア部９６とを有している。
【００４７】
この摺動部９５とギア部９６とはほぼ同径であり、これらが一体となって枠体９１を形成している。
【００４８】
ギア部９６は、図６に示すように収納ケース８１の保持部８５から突出しており、この突出したギア部９６の外周面の全周には、多数のギア（第二除塵手段）９６Ａが形成されている。
【００４９】
ギア９６Ａは、集塵ユニット５０を掃除機本体１１の集塵ユニット室２２内に装着した際に、駆動ギア２７と噛合するようになっている。
【００５０】
そして、駆動モータＭの駆動により駆動ギア２７が回転することによってギア９６Ａが相対的に移動してギア部９６が回転させられ、プリーツフィルタ体９０が収納ケース８１内で回転していくようになっている。
【００５１】
つまり、ギア部９６が回転することで、このギア部９６と一体になっている摺動部９５が保持部８５内で回転する。ここで、枠体９１にはプリーツ骨９２、９３を介してプリーツフィルタ９４が設けられているので、このプリーツフィルタ９４が枠体９１と一体に回転することとなる。
【００５２】
また、この枠体９１には、図１１及び図１２に示すブレード体１００が取り付けられ、プリーツフィルタ体９０と一体に回転するようになっている。
【００５３】
ブレード体１００は、図１１に示すように、プリーツフィルタ体９０の軸部９１Ａに嵌合される軸部１０１と、この軸部１０１から径方向に延びた３つのアーム部１０２とこのアーム部１０２の先端部に設けられたブレード１０３とを有している。
【００５４】
なお、アーム部１０２は、先端部が二股に分かれて形成された一対のアーム部材１０２Ａによって形成されている。
【００５５】
そして、ブレード体１００の軸部１０１を枠体９１の軸部９１Ａに嵌合させることにより、図１３に示すように、ブレード体１００はプリーツフィルタ体９０に重ね合わせられている。これにより、ブレード体１００とプリーツフィルタ体９０とが、一体になって回転可能となっている。
【００５６】
ブレード１０３は、図１２に示すように、収納ケース８１の前壁部８２に沿って摺接移動する平板部１０３Ａと、この平板部１０３Ａの先端に形成されると共に収納ケース８１の塵埃受部８６の上面を摺接移動する円弧状の摺接部１０３Ｂと、平板部１０３Ａの一側部に形成されると共に塵埃受部８６上に溜まった塵埃を排出口８６Ａへ掃き出していく掃出部１０３Ｃとを有している。
【００５７】
そして、プリーツフィルタ体９０が回転すると、ブレード１０３が塵埃受部８６の上面を摺接移動し、掃出部１０３Ｃによって塵埃を排出口８６Ａへ排出するようになっている。
【００５８】
駆動ギア２７は、図６に示すようにギア９６Ａの回転中心である枠体９１の軸部９１Ａ（プリーツフィルタ９４の回転軸線Ｏ´、図１０参照）より下側の位置に配置されている。すなわち、ギア９６Ａの回転中心に対して集塵ユニット５０の装着方向と反対側に駆動ギア２７が設けられている。
【００５９】
また、掃除機本体１１の集塵ユニット室２２に対する集塵ユニット５０の着脱方向は上下方向であり、プリーツフィルタ９４の回転軸線Ｏ´と直交する方向に設定されている。
【００６０】
そして、集塵ユニット５０を掃除機本体１１の集塵ユニット室２２に装着すると、掃除機本体１１の接続風路部２５の前面開口２５Ｂにシール部材２６を介して保持部８５が接続され、接続風路部２５内と集塵ユニット５０の収納ケース８１内とが連通される。また、ギア９６Ａは駆動ギア２７に噛合する。
【００６１】
一方、集塵ユニット室２２から集塵ユニット５０を持ち上げると、ギア９６Ａは駆動ギア２７から外れて、集塵ユニット５０は集塵ユニット室２２から簡単に取り外せるようになっている。
【００６２】
図１５はこの電気掃除機の制御系の構成を示したブロック図である。
【００６３】
図１５において、Ｓは操作部１３Ａの操作スイッチ１３ａ（図１参照）の操作や電圧計Ｖの検知信号に基づいて電動送風機２４や駆動モータＭを制御する制御装置である。
［動  作］
次に、上記のように構成される電気掃除機の動作について説明する。
【００６４】
まず、図２に示すように、集塵ユニット５０を掃除機本体１１の集塵ユニット室２２に装着し、図１に示すように集塵ホース１２を掃除機本体１１の接続口１１Ａに接続すると共に、手元操作管１３に延長管１４を介して吸込口体１５を接続する。
【００６５】
そして、電源プラグＰを図示しないコンセントに接続してから手元操作管１３の操作部１３Ａの操作スイッチ１３ａをＯＮ操作すると、制御装置Ｓから送風機駆動信号が出力され、商用電源Ｄから供給される電力により電動送風機２４が駆動する。
【００６６】
この電動送風機２４の駆動により、電動送風機２４の吸込開口２４Ａから空気が吸い込まれ、接続風路部２５を介して集塵ユニット５０の収納ケース８１内に吸込負圧が作用する。収納ケース８１内に作用した吸込負圧は、接続開口８２Ａから吸引風路部５４を介して集塵ケース７０Ｋ内や塵埃分離部５１の分離室部５２に作用する。
【００６７】
そして、この吸込負圧は、案内風路管５５を介して集塵ホース１２、延長管１４及び吸込口体１５に順に作用する。これにより、吸込口体１５の吸込開口（図示せず）から空気と共に塵埃が吸引されていく。
【００６８】
この吸引された塵埃及び空気は、延長管１４、集塵ホース１２を順に介して集塵ユニット５０の吸込接続口５５Ａへ吸引されていく。この吸込接続口５５Ａへ吸引された塵埃及び空気は案内風路管５５を通って塵埃分離部５１の分離室部５２内へ導入され、この分離室部５２内では周壁部５２Ａに沿いながら図８において反時計回りに回転していく。
【００６９】
そして、この回転により塵埃と空気の一部とが分離され、分離された空気が図７に示す塵埃分離手段５３のネットフィルタＮＦ１を通り、さらに吸引風路部５４を通ってフィルタ部８０の収納ケース８１内へ吸引されていく。
【００７０】
他方、分離されなかった塵埃及び空気はその回転により分離室部５２の排出開口５６から集塵部７０の連通ケース部７２内へ排出される。この排出された塵埃及び空気は連通ケース部７２の連通路７１を通って集塵室７３へ吸引されていき、塵埃は集塵室７３に集塵されていく。
【００７１】
また、集塵室７３へ吸引された空気は、フィルタＦ１及び接続開口７５を通って吸引風路部５４に吸引され、さらにフィルタ部８０の収納ケース８１内へ吸引されていく。
【００７２】
収納ケース８１内へ吸引された空気は、プリーツフィルタ体９０のプリーツフィルタ９４を通って掃除機本体１１の接続風路部２５へ吸引され、さらに電動送風機２４の吸込開口２４Ａへ吸引されていく。
【００７３】
そして、電動送風機２４の吸込開口２４Ａへ吸引された空気は電動送風機２４内を通って図２に示す掃除機本体１１の排気口２０Ｈから排気されていく。
【００７４】
掃除が終了したら、操作部１３Ａの操作スイッチ１３ａをＯＦＦ操作し、これにより制御装置Ｓから送風機停止信号が出力されて電動送風機２４の駆動が停止する。
【００７５】
電動送風機２４の駆動が停止する（図１６（ａ）においてｔ１）と、電圧計Ｖによって電動送風機２４に生じる逆起電力が検知される（図１６（ｂ）においてｔ１）。
【００７６】
このとき、電動送風機２４に生じる逆起電力は、図１６に示すように、時間の経過と共に次第に減少する。これは、掃除機本体１１内や吸込口体１５等に作用している吸込負圧にほぼ比例している。
【００７７】
そのため、制御装置Ｓによってこの逆起電力の減少の程度を検知し、逆起電力があらかじめ設定された閾値Ｘよりも小さくなったとき（図１６（ｂ）においてｔ２）に、掃除機本体１１内等に作用している吸込負圧による影響が作用しなくなったと判断して、この制御装置Ｓから駆動モータＭを駆動させるモータ駆動信号が出力される。
【００７８】
モータ駆動信号が入力された駆動モータＭは回転し、駆動ギア２７を回転させる（図１６（ａ）においてｔ２）。そして、回転した駆動ギア２７によって、プリーツフィルタ体９０のギア９６Ａが回転させられ、プリーツフィルタ９４が回転することとなる。
【００７９】
ここで、プリーツフィルタ９４の山部９４Ａには、除塵突起８３が当接しているので、プリーツフィルタ９４の回転に伴って、この除塵突起８３は当接する山部９４Ａを相対的に乗り越えていく。
【００８０】
そして、除塵突起８３が山部９４Ａを乗り越える際に、プリーツフィルタ９４には振動が与えられ、この振動によってプリーツフィルタ９４に付着した塵埃が振り落とされて除去される。
【００８１】
このように、駆動モータＭによって第一除塵手段である駆動ギア２７が回転させられると、この回転に伴って第二除塵手段であるギア９６Ａが回転し、これにより第三除塵手段である除塵突起８３がプリーツフィルタ９４に弾発的に当接して塵埃を除去するようになっている。つまり、駆動ギア２７、ギア９６Ａ、除塵突起８３が相互に関係してプリーツフィルタ９４に付着した塵埃を除去する。
【００８２】
駆動モータＭは、あらかじめ設定された所定時間駆動するようになっており、この所定時間が経過すると、制御装置Ｓから駆動モータＭを停止させるモータ停止信号が出力されて駆動モータＭが停止し（図１６（ａ）においてｔ３）、プリーツフィルタ９４の回転が停止する。
【００８３】
その後、再び操作部１３Ａの操作スイッチ１３ａをＯＮ操作することにより、制御装置Ｓから送風機駆動信号が出力され、電動送風機２４が駆動することとなる（図１６（ａ）においてｔ４）。
【００８４】
このように、この発明の電気掃除機は、塵埃を吸い込む塵埃吸込口である吸込口体１５の吸込開口（図示せず）から、掃除機本体１１内の電動送風機２４の吸込開口２４Ａまでの吸込風路の途中に設けられたフィルタであるプリーツフィルタ９４と、このプリーツフィルタ９４に付着した塵埃を除去する除塵手段である駆動ギア２７、ギア９６Ａ、除塵突起８３と、この駆動ギア２７等を駆動させる駆動源である駆動モータＭとを備え、電動送風機２４による吸込負圧の影響が作用しなくなったことを検知する負圧検知手段である電圧計Ｖを備え、駆動モータＭは、電圧計Ｖによって吸込負圧の影響が作用しなくなったことを検知した後に、駆動ギア２７を駆動させるようになっている。
【００８５】
これにより、電圧計Ｖによって検知される逆起電力の大きさから、掃除機本体１１内に吸込負圧が作用しているか否かを判断することができ、この吸込負圧の影響がなくなってからプリーツフィルタ９４に付着した塵埃を除去することができる。
【００８６】
そのため、除塵突起８３によって振り落とされて除去された塵埃が、電動送風機２４の停止後に掃除機本体１１内に作用し続ける吸込負圧の影響によって再びプリーツフィルタ９４に付着することがなくなる。そして、プリーツフィルタ９４に付着した塵埃を確実に除去することが可能となる。
【００８７】
また、この制御装置Ｓは、駆動モータＭを停止させるモータ停止信号を出力するまでは、操作部１３Ａの操作スイッチ１３ａがＯＮ操作されても、送風機駆動信号を出力しない。
【００８８】
そのため、電動送風機２４は、駆動モータＭによる駆動ギア２７の回転の停止に伴ってプリーツフィルタ９４の回転が停止した後に、駆動するようになっている。
【００８９】
これにより、プリーツフィルタ９４に付着した塵埃を確実に除去することができると共に、プリーツフィルタ９４の除塵作業中に電動送風機２４による吸込負圧によって除去された塵埃が再び付着することを防止できる。
【００９０】
以上、この発明にかかる実施の形態を図面により詳述してきたが、具体的な構成は上述の実施の形態に限らない。この発明の要旨を逸脱しない範囲の設計の変更等はこの発明に含まれる。
【００９１】
例えば、上述の実施例では、負圧検出手段として電動送風機２４に生じる逆起電力を検出する電圧計Ｖとしたが、これに限らず、電動送風機２４停止後の所定時間を測定するタイマーであってもよい。
【００９２】
これは、時間の経過に伴って吸込負圧が漸減することより、電動送風機２４停止後所定時間が経過すれば、吸込負圧がなくなったと判断できるからである。
【００９３】
これにより、掃除機本体１１内等に吸込負圧の影響がなくなってからプリーツフィルタ９４に付着した塵埃の除去を行なうことができる。
【００９４】
また、負圧検出手段として電動送風機２４の停止後に慣性によって回転する電動送風機２４の回転数を検出する、回転数検出センサであってもよい。
【００９５】
これにより、電動送風機２４の回転状態を正確に把握することができ、より正確に掃除機本体１１等に作用する吸込負圧の影響の大きさを判断することが可能となる。
【００９６】
さらに、負圧検出手段として、電動送風機２４の集塵部７０内等に作用している圧力を測定する圧力計であってもよい。
【００９７】
そして、上述の実施例では、キャニスタ型のタイプの電気掃除機について説明したが、アップライト式の電気掃除機や、手元操作管等に塵埃分離ユニットを取り付ける電気掃除機に適用することもできる。
【図面の簡単な説明】
【００９８】
【図１】この発明に係る電機掃除機の外観を示した斜視図である。
【図２】図１に示す掃除機本体の構成を示した縦断面図である。
【図３】蓋体及び集塵ユニットを取り外した掃除機本体を示した斜視図である。
【図４】図３に示す掃除機本体の縦断面斜視図である。
【図５】蓋体及び集塵ユニットを取り外した掃除機本体の縦断面図である。
【図６】集塵ユニットの外観を示した斜視図である。
【図７】図６に示す集塵ユニットの横断面図である。
【図８】図６に示す集塵ユニットの縦断面斜視図である。
【図９】集塵部の外観を示した斜視図である。
【図１０】プリーツフィルタ体を示した側面図である。
【図１１】収納ケースの前壁部を示した説明図である。
【図１２】塵埃受部とブレード体との位置関係を示した説明図である。
【図１３】プリーツフィルタ体のプリーツフィルタとブレード体とが重ねられた状態を示す一部を破断した説明図である。
【図１４】収納ケースと塵埃分離部とを示した斜視図である。
【図１５】この発明にかかる電気掃除機の制御系の構成を示したブロック図である。
【図１６】（ａ）は電動送風機と駆動モータとのＯＮ／ＯＦＦのタイミングを示した説明図であり、（ｂ）は逆起電力の経時変化を示した説明図である。
【符号の説明】
【００９９】
１０          電気掃除機
１１          掃除機本体
２４        電動送風機
２４Ａ      吸込開口
２７        駆動ギア（第一除塵手段）
８３        除塵突起（第三除塵手段）
９４        プリーツフィルタ（フィルタ）
９６Ａ      ギア（第二除塵手段）
Ｍ           駆動モータ
Ｖ          電圧計
【図１】
2007054345.tif 000003
【図２】
2007054345.tif 000004
【図３】
2007054345.tif 000005
【図４】
2007054345.tif 000006
【図５】
2007054345.tif 000007
【図６】
2007054345.tif 000008
【図７】
2007054345.tif 000009
【図８】
2007054345.tif 000010
【図９】
2007054345.tif 000011
【図１０】
2007054345.tif 000012
【図１１】
2007054345.tif 000013
【図１２】
2007054345.tif 000014
【図１３】
2007054345.tif 000015
【図１４】
2007054345.tif 000016
【図１５】
2007054345.tif 000017
【図１６】
2007054345.tif 000018